(57)【要約】【課題】遮音壁の壁面の向きを問わずに、太陽光を効率的に集光できるように太陽電池パネルを遮音壁に取り付けることができる太陽電池パネルの取付構造を提供する。【解決手段】遮音壁１０の天端部に取付具２０が設けられ、遮音壁１０に取付具２０を介して太陽電池パネル１００が取り付けられる太陽電池パネルの取付構造であり、遮音壁１０が、所定間隔を開けて配置される支柱１２と、支柱１２・１２間に配置され支柱１２で保持される遮音パネル１３とから構成され、取付具２０が、支柱１２・１２間に架設して支柱１２に対して固定される胴縁３０と、胴縁に固定されるフレーム部４０と、フレーム部４０により所要角度で支持される基板６０とから構成され、太陽電池パネル１００が基板６０上に設けられる。【選択図】図３
2012140830.tif 000002
【特許請求の範囲】
【請求項１】
遮音壁の天端部に取付具が設けられ、
前記遮音壁に前記取付具を介して太陽電池パネルが取り付けられることを特徴とする太陽電池パネルの取付構造。
【請求項２】
前記遮音壁が、所定間隔を開けて配置される支柱と、前記支柱間に配置され前記支柱で保持される遮音パネルとから構成され、
前記取付具が、前記支柱間に架設して前記支柱に対して固定される胴縁と、前記胴縁に固定されるフレーム部と、前記フレーム部により支持される基板とから構成され、
前記太陽電池パネルが前記基板上に設けられることを特徴とする請求項１記載の太陽電池パネルの取付構造。
【請求項３】
前記フレーム部が、水平面に対する前記基板の角度を調整可能な角度調整機構を有することを特徴とする請求項２記載の太陽電池パネルの取付構造。
【請求項４】
前記取付具が、前記支柱に固定される略Ｌ字形の支持部材を有し、
前記胴縁が前記支持部材を介して前記支柱に固定されることを特徴とする請求項２又は３記載の太陽電池パネルの取付構造。
【発明の詳細な説明】
【技術分野】
【０００１】
本発明は、道路や列車が走る線路等の外側に設置される遮音壁に対する太陽電池パネルの取付構造に関する。
【背景技術】
【０００２】
近年、太陽光エネルギーの有効利用の重要性が指摘されているが、その一環として、道路や線路等の外側に設置される遮音壁に太陽電池パネルを取り付け、太陽光発電を行うことが提案されている。これはより多くの太陽光を集光できる遮音壁の南向きの垂直或いは湾曲した壁面に、その壁面から突出するようにしてＺ型鋼状の取付金具により太陽電池パネルを取り付け、太陽光発電を行うものである（特許文献１、２参照）。
【先行技術文献】
【特許文献】
【０００３】
【特許文献１】特開平９−５３２１０号公報
【特許文献２】特開平９−５３２１１号公報
【発明の概要】
【発明が解決しようとする課題】
【０００４】
しかしながら、上記太陽電池パネルの取付構造は、南向きの壁面を有しない遮音壁には適用できず、仮に適用したとしても発電効率が非常に低くなる。そのため、遮音壁の壁面の向きを問わず、太陽光を効率的に集光できるように太陽電池パネルを遮音壁に取り付けられる構造が求められている。
【０００５】
また、上記太陽電池パネルの取付構造は遮音壁の壁面に太陽電池パネルを設置するものであるが、遮音壁の設置場所の近隣には樹木、電柱、家屋等の構造物がある場合が多く、その影が太陽電池パネルの一部にかかって部分日陰となり、発電効率が低下する恐れがある。特に太陽電池パネルの構造によっては発電効率が極端に低下或いはゼロになる場合もあり得る。
【０００６】
本発明は上記課題に鑑み提案するものであって、遮音壁の壁面の向きを問わずに、太陽光を効率的に集光できるように太陽電池パネルを遮音壁に取り付けることができる太陽電池パネルの取付構造を提供することを目的とする。また、本発明の他の目的は、太陽電池パネルに対する部分日陰を極力少なくし、太陽電池パネルの発電効率の安定性を高めることができると共に、側面に日陰の部分が多い遮音壁などより多くの遮音壁に適用できる太陽電池パネルの取付構造を提供することにある。
【課題を解決するための手段】
【０００７】
本発明の太陽電池パネルの取付構造は、遮音壁の天端部に取付具が設けられ、前記遮音壁に前記取付具を介して太陽電池パネルが取り付けられることを特徴とする。
この構成によれば、遮音壁の天端部に、場所に応じて最も効率良く太陽光を集光できる向き・角度で太陽電池パネルを取り付けることが可能となり、遮音壁の壁面の向きを問わずに、太陽光を効率的に集光できるように太陽電池パネルを遮音壁に取り付けることができる。また、遮音壁の天端部への太陽電池パネルの取り付けにより、太陽電池パネルに対する部分日陰を極力少なくし、太陽電池パネルの発電効率の安定性を高めることができると共に、側面に日陰の部分が多い遮音壁などより多くの遮音壁に設置することができる。
【０００８】
本発明の太陽電池パネルの取付構造は、前記遮音壁が、所定間隔を開けて配置される支柱と、前記支柱間に配置され前記支柱で保持される遮音パネルとから構成され、前記取付具が、前記支柱間に架設して前記支柱に対して固定される胴縁と、前記胴縁に固定されるフレーム部と、前記フレーム部により支持される基板とから構成され、前記太陽電池パネルが前記基板上に設けられることを特徴とする。
この構成によれば、支柱に対して直接的若しくは間接的に胴縁を固定することにより、取付具を簡単に且つ高い安定性で遮音壁の天端部に設置することができる。また、胴縁に固定されるフレーム部で基板を支持し、その基板上に太陽電池パネルを設けることにより、所要角度等の太陽電池パネルを簡単に且つ高い安定性で設置することができる。また、所要のフレーム部の使用、取替等で、基板及び太陽電池パネルの角度を容易に設定、調整、変更することができる。
【０００９】
本発明の太陽電池パネルの取付構造は、前記フレーム部が、水平面に対する前記基板の角度を調整可能な角度調整機構を有することを特徴とする。
この構成によれば、フレーム部の角度調整機構で基板の角度を必要に応じて変更することにより、基板及び太陽電池パネルを一層容易に所要角度に設定、調整、変更することができる。
【００１０】
本発明の太陽電池パネルの取付構造は、前記取付具が、前記支柱に固定される略Ｌ字形の支持部材を有し、前記胴縁が前記支持部材を介して前記支柱に固定されることを特徴とする。
この構成によれば、鋭角に開いたＬ字形や鈍角に開いたＬ字形など所要形状の略Ｌ字形の支持部材を使用、取替する等により、基板及び太陽電池パネルの角度を容易に設定、調整、変更することができる。
【発明の効果】
【００１１】
本発明の太陽電池パネルの取付構造によれば、遮音壁の天端部に、場所に応じて最も効率良く太陽光を集光できる向き・角度で太陽電池パネルを取り付けることが可能となり、遮音壁の壁面の向きを問わずに、太陽光を効率的に集光できるように太陽電池パネルを遮音壁に取り付けることができる。従って、遮音壁を利用する太陽光発電において、より効率的で発電量の大きい太陽光発電を行うことができる。
【００１２】
また、遮音壁の天端部への太陽電池パネルの取り付けにより、太陽電池パネルに対する部分日陰を極力少なくし、太陽電池パネルの発電効率の安定性を高めることができると共に、側面に日陰の部分が多い遮音壁などより多くの遮音壁に適用することができる。
【図面の簡単な説明】
【００１３】
【図１】（ａ）は本発明による第１実施形態の太陽電池パネルの取付構造が設置されている遮音壁の平面図、（ｂ）は同図（ａ）の遮音壁を道路側から見た正面図。
【図２】第１実施形態の太陽電池パネルの取付構造が設置されている遮音壁の縦断面図。
【図３】（ａ）は図１（ｂ）のＡ部の部分拡大図、（ｂ）は図２のＢ部の部分拡大図。
【図４】（ａ）は本発明による第２実施形態の太陽電池パネルの取付構造が設置されている遮音壁の道路側から見た部分正面図、（ｂ）は同図（ａ）のＣ−Ｃ矢視断面図。
【図５】（ａ）は図４のＤ部の部分拡大図、（ｂ）は図４のＥ部の部分拡大図。
【図６】（ａ）は第３実施形態の太陽電池パネルの取付構造が設置されている遮音壁の図３（ｂ）に相当する部分の部分拡大図、（ｂ）は第４実施形態における図３（ｂ）に相当する部分の部分拡大図。
【図７】第５実施形態の太陽電池パネルの取付構造が設置されている遮音壁の図３（ｂ）に相当する部分の部分拡大図。
【図８】（ａ）は第６実施形態における図３（ｂ）に相当する部分の部分拡大図、（ｂ）は第７実施形態における図３（ｂ）に相当する部分の部分拡大図。
【図９】（ａ）は第８実施形態における図３（ｂ）に相当する部分の部分拡大図、（ｂ）はその太陽電池パネルの傾斜角度の変更後の状態を示す部分拡大図。
【図１０】（ａ）は第９実施形態の太陽電池パネルの取付構造が設置されている遮音壁の縦断面図、（ｂ）はその図３（ｂ）に相当する部分の部分拡大図。
【図１１】（ａ）は第１０実施形態における図３（ｂ）に相当する部分の部分拡大図、（ｂ）は第１１実施形態における図３（ｂ）に相当する部分の部分拡大図。
【図１２】第１２実施形態の太陽電池パネルの取付構造が設置されている遮音壁を道路側から見た正面図。
【図１３】（ａ）は図１２のＦ部の部分拡大図、（ｂ）は第１２実施形態における図３（ｂ）に相当する部分の部分拡大図。
【図１４】第１３実施形態の太陽電池パネルの取付構造が設置されている遮音壁の道路側から見た部分正面図。
【図１５】（ａ）は図１４のＧ部の部分拡大図、（ｂ）は第１３実施形態における図５（ｂ）に相当する部分の拡大断面図。
【発明を実施するための形態】
【００１４】
次に、本発明による実施形態の太陽電池パネルの取付構造について説明する。
【００１５】
〔第１実施形態の太陽電池パネルの取付構造〕
第１実施形態の太陽電池パネルの取付構造は、図１〜図３に示すように、遮音壁１０の天端部に設けられるものである。遮音壁１０は、基台１１と、基台１１に固定されて上方に立設され、横方向に所定間隔を開けて配置されている支柱１２と、支柱１２・１２間に配置されて支柱１２・１２で保持される遮音パネル１３とを備える。支柱１２は、例えばＨ型鋼であり、遮音パネル１３が嵌め込まれるようにして取り付けられる。遮音パネル１３は、支柱１２・１２間において、基台１１上に積み重ねられるようにして設けられる。図２の左側は自動車の高速道路など走行路側になっている。
【００１６】
遮音壁１０の天端部には、太陽電池パネル１００の取付具２０が設けられ、太陽電池パネル１００は、遮音壁１０の天端部に設けられる取付具２０を介して所要角度で取り付けられる。この取付具２０は、支柱１２・１２間に架設されて支柱１２に対して固定される胴縁３０と、胴縁３０に対して固定されるフレーム部４０と、フレーム部４０により所要角度で支持される基板６０とから構成され、太陽電池パネル１００は基板６０上に設けられる。
【００１７】
胴縁３０は、断面視Ｌ字形の長尺部材であり、その側面３１を支柱１２の前面に沿わせるようにして支柱１２の上端部に配置されると共に、支柱１２・１２間に架設するように配置され、側面３１を支柱１２の前面に、打込スタッド、溶接スタッド或いは貫通ボルトなどボルト締め等で固定される。胴縁３１の上面３２は外側に突出するように設けられる。また、支柱１２の背面側においても、同様の胴縁３０が前面側の胴縁３０と対応する位置と態様で配置され、固定される。
【００１８】
フレーム部４０は、断面視Ｌ字形の短尺部材である第１フレーム材４１と、断面視Ｌ字形で後述する基板６０の短辺と略同一の長さを有する部材である第２フレーム材４２とから構成される。第１フレーム材４１の底面４１１は、胴縁３０の上面３２上に載置されてボルト締め等で上面３２に固定され、その側面４１２は上面３２から立ち上がるように設けられる。第２フレーム材４２の側面４２１は、２つの第１フレーム材４１の側面４１２に沿うようにして配置され、ボルト締め等で側面４１２、４１２に固定されており、本例では第２フレーム材４２の上面４２２が略水平となるように配置される。
【００１９】
第１フレーム材４１と第２フレーム材４２とから構成されるフレーム部４０は、胴縁３０の上面３２上の長手方向の複数箇所に所定間隔を開けて設けられており、第１フレーム材４１は、前面側の胴縁３０の上面３２と背面側の胴縁３０の上面３２との対応する箇所に取り付けられ、この２つの第１フレーム材４１に固定されて１つの第２フレーム材４２が設けられる。
【００２０】
基板６０は、平面視長方形の板状であり、複数の第２フレーム材４２の上面４２２で形成される略水平面上に載置される。本例では、支柱１２・１２間の遮音パネル１３に対応して上側に前面側と背面側の胴縁３０・３０が設けられ、その上に胴縁３０の長手方向の４カ所にフレーム部４０が設けられ、そのフレーム部４０の各上面４２２上に１つの基板６０が載置される。基板６０は上面４２２にボルト締め等で固定される。
【００２１】
太陽電池パネル１００は、基板６０に沿わせるようにして基板６０上に載置され、基板６０にボルト締め或いは接着等で固定される。即ち、基板６０の取付角度と太陽電池パネル１００の取付角度が揃うようになっており、本例では略水平に設置される基板６０と同様に太陽電池パネル１００も略水平に設置される。尚、複数の第２フレーム材４２の側面４２１の高さを異ならせ、上面４２２を傾斜面とする構成等により、基板６０と太陽電池パネル１００を略水平以外の所要の傾斜角度で設置することが可能である。
【００２２】
第１実施形態の太陽電池パネルの取付構造は、遮音壁１０の天端部に、場所に応じて最も効率良く太陽光を集光できる向き・角度で太陽電池パネル１００を取り付けることが可能であり、遮音壁１０の壁面の向きを問わずに、太陽光を効率的に集光できるように太陽電池パネル１００を遮音壁１０に取り付けることができる。また、遮音壁１０の天端部への太陽電池パネル１００の取り付けにより、太陽電池パネル１００に対する部分日陰を極力少なくし、太陽電池パネル１００の発電効率の安定性を高めることができると共に、側面に日陰の部分が多い遮音壁１０などより多くの遮音壁１０に適用することができる。
【００２３】
また、支柱１２に胴縁３０を固定することにより、取付具２０を簡単に且つ高い安定性で遮音壁１０の天端部に設置することができる。また、胴縁３０に固定されるフレーム部４０で基板６０を所要角度で支持し、その基板６０上に太陽電池パネル１００を設けることにより、所要角度の太陽電池パネル１００を簡単に且つ高い安定性で設置することができる。また、所要のフレーム部４０の使用、取替等で、基板６０及び太陽電池パネル１００の角度を所要角度に容易に設定、調整、変更することができる。
【００２４】
〔第２実施形態の太陽電池パネルの取付構造〕
次に、第２実施形態の太陽電池パネルの取付構造について説明する。
【００２５】
第２実施形態の太陽電池パネルの取付構造は、図４及び図５に示すように、第１実施形態と同一構成の遮音壁１０の天端部に設けられる。即ち、遮音壁１０の天端部に太陽電池パネル１００の取付具２０ａが設けられ、太陽電池パネル１００が取付具２０ａを介して所要角度で取り付けられる。取付具２０ａは、支柱１２・１２間に架設されて支柱１２に対して固定される胴縁３０と、胴縁３０に対して固定されるフレーム部４０ａと、フレーム部４０ａにより所要角度で支持される基板６０とから構成され、太陽電池パネル１００は基板６０上に設けられる。胴縁３０の構成や取り付けの態様は第１実施形態と同一である。
【００２６】
フレーム部４０ａは、第１実施形態と同一構成の断面視Ｌ字形の短尺部材である第１フレーム材４１ａと、断面視Ｌ字形の柱状部材の第３フレーム材４３ａを有し、第３フレーム材４３ａには、長尺や短尺の段階的に異なる長さの複数のものがある。第１フレーム材４１ａは、第１実施形態と同様に、その底面４１１ａが胴縁３０の上面３２に固定され、その側面４１２ａが上面３２から立ち上がるように設けられる。第３フレーム材４３ａは、その第１側面４３１ａが第１フレーム材４１ａの側面４１２ａに沿うように配置され、ボルト締め等で側面４１２ａに固定されると共に、その第２側面４３２ａが上面３２から立ち上がるように設けられる。
【００２７】
第１フレーム材４１ａと第３フレーム材４３ａの組み合わせは、胴縁５０の長手方向の複数箇所（本例では４カ所）に所定間隔を開けて設けられると共に、第３フレーム材４３ａの高さが胴縁５０の長手方向に漸次変化するようになっている。対応する箇所に取り付けられる前面側の第１フレーム材４１ａ及び第３フレーム材４３ａと背面側の第１フレーム材４１ａ及び第３フレーム材４３ａでは、第３フレーム材４３ａの立ち上がり高さは同一になっている。
【００２８】
更に、フレーム部４０ａは、断面視Ｌ字形の長尺部材である第４フレーム材４４ａと、断面視Ｌ字形の短尺部材である第５フレーム材４５ａと、断面視Ｌ字形で基板６０の短辺と略同一の長さを有する部材である第２フレーム材４２ａとを有する。
【００２９】
第４フレーム材４４ａは、高さが漸次変化する複数箇所の第３フレーム材４３ａの第２側面４３２の各上端近傍に、その側面４４１ａを沿わすようにして傾斜して配置され、側面４４１ａが各上端近傍位置で第２側面４３２にボルト締め等で固定される。これにより、第４フレーム材４４ａの上面４４２ａは、水平から傾斜した傾斜面になった状態で配置される。
【００３０】
第４フレーム材４４ａの上面４４２ａ上には、第１フレーム材４１ａと第３フレーム材４３ａと対応する位置に第５フレーム材４５ａが設けられている。第５フレーム材４５ａの底面４５１ａは、第４フレーム材４４ａの上面４４２ａ上に配置され、ボルト締め等で固定されている。第４フレーム材４４ａの上面４４２ａから立ち上がる第５フレーム材４５ａの側面４５２ａには、第２フレーム材４２ａの側面４２１ａが沿わすようにして設けられ、第２フレーム材４２ａが前面側と背面側の第５フレーム材４５ａ・４５ａに架橋するようにして設けられる。第２フレーム材４２ａの側面４２１ａは、第５フレーム材４５ａの側面４５２ａにボルト締め等で固定される。
【００３１】
第２フレーム材４２ａの上面４２２ａには基板６０が配置され、上面４２２ａの複数で構成される傾斜面に沿って基板６０が配置され、各上面４２２ａにボルト締め等で固定される。基板６０は、第１実施形態と同様に平面視長方形の板状であり、複数の第２フレーム材４２ａの上面４２２ａで形成される略傾斜面上に載置され、遮音壁１０が延びる方向に傾斜する所要の傾斜角度で配置される。そして、太陽電池パネル１００が、基板６０に沿わせるようにして基板６０上に載置されて同様の傾斜角度で設けられ、基板６０にボルト締め或いは接着等で固定される。
【００３２】
第２実施形態の太陽電池パネルの取付構造は、第１実施形態の太陽電池パネルの取付構造と同様の効果を奏すると共に、遮音壁１０の展開方向が南側である場合等に有効である。
【００３３】
〔第３、第４実施形態の太陽電池パネルの取付構造〕
次に、第３、第４実施形態の太陽電池パネルの取付構造について説明する。
【００３４】
第３実施形態の太陽電池パネルの取付構造は、図６（ａ）に示すように、第１実施形態と同一構成の遮音壁１０の天端部に設けられる。即ち、遮音壁１０の天端部に太陽電池パネル１００の取付具２０ｂが設けられ、太陽電池パネル１００が取付具２０ｂを介して所要角度で取り付けられる。取付具２０ｂは、支柱１２・１２間に架設されて支柱１２に対して固定される胴縁３０と、胴縁３０に対して固定されるフレーム部４０ｂと、フレーム部４０ｂにより所要角度で支持される基板６０とから構成され、太陽電池パネル１００は基板６０上に設けられる。胴縁３０の構成や取り付けの態様は第１実施形態と同一である。
【００３５】
フレーム部４０ｂは、断面視Ｌ字形で且つ正面視（図６の正面視）Ｌ字形の第６フレーム材４６ｂと、断面視Ｌ字形の長尺部材である第７フレーム材４７ｂとを有する。第６フレーム材４６ｂの外縁に設けられている底面４６１ｂは、胴縁３０・３０の上面３２・３２上に載置して架橋して設けられ、上面３２・３２とボルト締め等で固定される。第６フレーム材４６ｂの遮音壁１０の延びる方向と垂直な方向を平面方向とする側面４６２ｂ、即ちＬ字形の側面４６２ｂには、第７フレーム材４７ｂの側面４７１ｂが沿うように配置される。第７フレーム材４７ｂの側面４７１ｂの両端部は、それぞれＬ字形の側面４６２ｂの下側先端部と上側先端部において、ボルト締め等で固定される。
【００３６】
更に、フレーム部４０ｂは、断面視Ｌ字形の短尺部材である第５フレーム材４５ｂと、断面視Ｌ字形で基板６０の短辺と略同一の長さを有する部材である第２フレーム材４２ｂとを有する。第５フレーム材４５ｂ、第２フレーム材４２ｂの構成は、上記第５フレーム材４５ａ、第２フレーム材４２、４２ａと同一である。
【００３７】
第５フレーム材４５ｂの底面４５１ｂは、遮音壁１０の延びる方向と垂直な方向に傾斜する第７フレーム材４７ｂの上面４７２ｂ上に所定間隔を開けて載置され、ボルト締め等で固定されている。第５フレーム材４５ｂの側面４５２ｂには、第２フレーム材４２ｂの側面４２１ｂが沿わすようにして設けられ、側面４２１ｂは側面４５２ｂにボルト締め等で固定される。
【００３８】
遮音壁１０の延びる方向と垂直な方向に傾斜する第２フレーム材４２ｂの上面４２２ｂには基板６０、太陽電池パネル１００が上記と同様に配置、固定され、基板６０、太陽電池パネル１００は、遮音壁１０の延びる方向と垂直な方向に傾斜する傾斜面として設けられる。尚、図６（ａ）の第３実施形態は、高速道路など走行路側に向かって下側に傾斜するように基板６０、太陽電池パネル１００を設けたが、必要に応じて、図６（ｂ）の第４実施形態のように、走行路と逆側に向かって下側に傾斜するように設けてもよい。
【００３９】
第３、第４実施形態の太陽電池パネルの取付構造は、第１実施形態の太陽電池パネルの取付構造と同様の効果を奏すると共に、遮音壁１０の展開方向と垂直方向が南側である場合等に有効である。
【００４０】
〔第５実施形態の太陽電池パネルの取付構造〕
次に、第５実施形態の太陽電池パネルの取付構造について説明する。
【００４１】
第５実施形態の太陽電池パネルの取付構造は、図７に示すように、第１実施形態と同一構成の遮音壁１０の天端部に設けられる。即ち、遮音壁１０の天端部に太陽電池パネル１００の取付具２０ｃが設けられ、太陽電池パネル１００が取付具２０ｃを介して所要角度で取り付けられる。取付具２０ｃは、支持部材７１ｃ、７２ｃ、７３ｃと、支柱１２・１２間に架設され、支持部材７１ｃ、７２ｃ、７３ｃにより支柱１２に対して固定される胴縁３０と、胴縁３０に対して固定されるフレーム部４０ｃと、フレーム部４０ｃにより所要角度で支持される基板６０とから構成され、太陽電池パネル１００は基板６０上に設けられる。
【００４２】
支持部材７１ｃは、断面視Ｌ字形で且つ正面視（図７の正面視）Ｌ字形であり、図７の面方向に拡がるＬ字形の側面７１１ｃと、側面７１１ｃの内縁で略直角に曲がって延びる突出面７１２ｃとを有する。Ｌ字形の突出面７１２ｃの一方側の面は支柱１２に沿うように配置され、他方側の面は支柱１２の上側に配置され、前記一方側の面と支柱１２とがボルト締め等で固定される。
【００４３】
支持部材７２ｃは、断面視Ｌ字形の長尺部材であり、その側面７２１ｃが支柱１２の上側に位置する側面７１１ｃに沿うように配置され、ボルト締め等で側面７１１ｃに固定される。また、支持部材７３ｃは、断面視Ｌ字形の短尺部材であり、その底面７３１ｃが支持部材７２ｃの上面７２２ｃ上に載置され、上面７２２ｃにボルト締め等で固定される。支持部材７３ｃの側面７３２ｃには胴縁３０の側面３１が沿うように配置され、ボルト締め等で固定される。
【００４４】
胴縁３０の上側に配置される第６フレーム材４６ｃ、第７フレーム材４７ｃ、第５フレーム材４５ｃ、第２フレーム材４２ｃ、基板６０、太陽電池パネル１００の配置、固定の態様は、第３、第４実施形態の第６フレーム材４６ｂ、第７フレーム材４７ｂ、第５フレーム材４５ｂ、第２フレーム材４２ｂ、基板６０、太陽電池パネル１００と同一であり、基板６０、太陽電池パネル１００は、例えば高速道路などの走行路側に向かって下側に傾斜するように配置される。
【００４５】
第５実施形態の太陽電池パネルの取付構造は、第１実施形態の太陽電池パネルの取付構造と同様の効果を奏すると共に、遮音壁１０の展開方向と垂直方向が南側である場合等に有効である。更に、例えば支柱１２の走行路側の面に支持部材７１ｃの突出面７１２ｃを沿わせて固定する等、走行路側など一方側の面だけの施工で、遮音壁１０の天端部に太陽電池パネル１００を取り付けることができ、施工の便宜性を高めることができる。
【００４６】
〔第６、第７実施形態の太陽電池パネルの取付構造〕
次に、第６、第７実施形態の太陽電池パネルの取付構造について説明する。
【００４７】
第６実施形態の太陽電池パネルの取付構造は、図８（ａ）に示すように、第１実施形態と同一構成の遮音壁１０の天端部に設けられる。即ち、遮音壁１０の天端部に太陽電池パネル１００の取付具２０ｄが設けられ、太陽電池パネル１００が取付具２０ｄを介して所要角度で取り付けられる。取付具２０ｄは、支持部材７４ｄ、７５ｄと、支柱１２・１２間に架設され、支持部材７４ｄ、７５ｄにより支柱１２に対して固定される胴縁３０と、胴縁３０に対して固定されるフレーム部４０ｄと、フレーム部４０ｄにより所要角度で支持される基板６０とから構成され、太陽電池パネル１００は基板６０上に設けられる。
【００４８】
支持部材７４ｄは、断面視Ｌ字形で且つ正面視（図８（ａ）の正面視）が開き角度が広い略Ｌ字形であるく字形であり、図８（ａ）の面方向に拡がるく字形の側面７４１ｄと、側面７４１ｄの外縁で略直角に屈曲して延びる突出面７４２ｄとを有する。突出面７４２ｄの一方側の面は支柱１２に沿うように配置され、他方側の面は支柱１２から外側に延びるように配置され、前記一方側の面と支柱１２とがボルト締め等で固定される。支持部材７４ｄは、支柱１２の前面側と背面側のそれぞれに対応するようにして設けられる。
【００４９】
支持部材７５ｄは、断面視Ｌ字形の短尺部材であり、その底面７５１ｄが支持部材７４ｄの他方側の突出面７４２ｄ上に載置され、突出面７４２ｄにボルト締め等で固定される。支持部材７５ｄの側面７５２ｄには胴縁３０の側面３１が沿うように配置され、ボルト締め等で固定される。胴縁３０の上面３２には、第１実施形態の第１フレーム材４１と同一構成の第１フレーム材４１ｄが固定され、これに第１実施形態の第２フレーム材４２と同一構成の第２フレーム材４２ｄが固定される。
【００５０】
そして、第２フレーム材４２ｄで第１実施形態と同様に基板６０と太陽電池パネル１００が支持され、第６実施形態では、支柱１２に向かって下方に傾斜するように基板６０と太陽電池パネル１００が支持されて、前面側と背面側の太陽電池パネル１００・１００は開き角度が広いＶ字形に配置される。
【００５１】
また、図８（ｂ）に示す第７実施形態のように、支持部材７４ｄに代えて、断面視Ｌ字形で且つ正面視（図８（ｂ）の正面視）が開き角度が狭い略Ｌ字形であるＶ字形の支持部材７６ｄを設けてもよい。支持部材７６ｄは、図８（ｂ）の面方向に拡がるＶ字形の側面７６１ｄと、側面７６１ｄの外縁で略直角に屈曲して延びる突出面７６２ｄとを有する。突出面７６２ｄの一方側の面は支柱１２に沿うように配置され、他方側の面は支柱１２から外側に延びるように配置され、前記一方側の面と支柱１２とがボルト締め等で固定される。支持部材７６ｄは、支柱１２の前面側と背面側のそれぞれに対応するようにして設けられる。
【００５２】
支持部材７６ｄには、支持部材７５ｄが第６実施形態と同様に固定され、同じく第１フレーム材４１ｄ、第２フレーム材４２ｄを介して基板６０と太陽電池パネル１００が配置される。第７実施形態では、支柱１２から外側に向かって下方に傾斜するように基板６０と太陽電池パネル１００が支持されて、前面側と背面側の太陽電池パネル１００・１００は略へ字形に配置される。
【００５３】
第６、第７実施形態の太陽電池パネルの取付構造は、第１実施形態の太陽電池パネルの取付構造と同様の効果を奏する。更に、遮音壁１０の走行路側とその逆側の双方に寄った位置にそれぞれ太陽電池パネル１００を所要角度で設けることができ、太陽の多様な位置に対する適応性を高めることができると共に、太陽光発電の発電量をより大きくすることができる。
【００５４】
〔第８実施形態の太陽電池パネルの取付構造〕
次に、第８実施形態の太陽電池パネルの取付構造について説明する。
【００５５】
第８実施形態の太陽電池パネルの取付構造は、図９（ａ）に示すように、第１実施形態と同一構成の遮音壁１０の天端部に設けられる。即ち、遮音壁１０の天端部に太陽電池パネル１００の取付具２０ｅが設けられ、太陽電池パネル１００が取付具２０ｅを介して所要角度で取り付けられる。取付具２０ｅは、支柱１２・１２間に架設され支柱１２に対して固定される胴縁３０と、胴縁３０に対して固定されるフレーム部４０ｅと、フレーム部４０ｅにより所要角度で支持される基板６０とから構成され、太陽電池パネル１００は基板６０上に設けられる。胴縁３０は、第１実施形態と同一構成で、同様の態様で支柱１２に配置、固定される。
【００５６】
フレーム部４０ｅは、断面視Ｌ字形の短尺部材である第８フレーム材４８ｅを有し、第８フレーム材４８ｅの底面４８１ｅは、背面側の胴縁３０の上面３２上に載置されてボルト締め等で固定され、その側面４８２ｅは、図９の紙面を平面方向として上面３２から立ち上がるように設けられる。
【００５７】
更に、フレーム部４０ｅは、断面視Ｚ字形の短尺部材である第９フレーム材４９ｅと、断面視Ｌ字形の短尺部材である第１０フレーム材５０ｅとを有する。第９フレーム材４９ｅの底面４９１ｅは、前面側の胴縁３０の上面３２上に載置されてボルト締め等で固定され、その側面４９２ｅは、図９の紙面を平面方向として上面３２から立ち上がるように設けられる。第９フレーム材４９ｅの上面４９３ｅの穴には位置調整ボルト５１ｅが上方に突出するようにして挿入され、固定ナット５１１ｅで固定されている。
【００５８】
第１０フレーム材５０ｅの底面５０１ｅは、第９フレーム材４９ｅの上面４９３ｅと揃えて略水平に配置され、位置調整ボルト５１ｅの先端側が底面５０１ｅの穴に挿入されている。位置調整ボルト５１ｅの先端側には調整ナット５１２ｅ・５１２ｅが螺合され、調整ナット５１２ｅ・５１２ｅで底面５０１ｅを挟持するようにして位置調整ボルト５１ｅと底面５０１ｅが固定されている。第１０フレーム材５０ｅの側面５０２ｅは、図９の紙面を平面方向として設けられる。
【００５９】
更に、フレーム部４０ｅは、第１実施形態の第２フレーム材４２と同一構成の第２フレーム材４２ｅを有し、第２フレーム材４２ｅの側面４２１ｅが、第８フレーム材４８ｅの側面４８２ｅと第１０フレーム材５０ｅの側面５０２ｅとに沿わせるように配置され、ボルト締め等で固定されている。第２フレーム材４２ｅは、第８フレーム材４８ｅと第１０フレーム材５０ｅとの固定位置の相違により、遮音壁１０の延びる方向と垂直方向に傾斜して設けられている。
【００６０】
そして、この第２フレーム材４２ｅに、第１実施形態と同様に基板６０と太陽電池パネル１００が設けられ、基板６０及び太陽電池パネル１００が所要の傾斜角度で配置される。また、第８実施形態では、図９（ｂ）に示すように、第２フレーム材４２ｅと第８フレーム材４８ｅとの固定部分を軸として、調整ナット５１２ｅ・５１２ｅの位置調整ボルト５１ｅに対する螺合位置を変更することにより、第２フレーム材４２ｅとこれに取り付けられる基板６０及び太陽電池パネル１００の設置角度を調整可能になっている。即ち、位置調整ボルト５１ｅ、固定ナット５１１ｅ、調整ナット５１２ｅ・５１２ｅは、フレーム部４０ｅにおける水平面に対する基板６０の角度を調整可能な角度調整機構を構成する。
【００６１】
第８実施形態の太陽電池パネルの取付構造は、第１実施形態の太陽電池パネルの取付構造と同様の効果を奏すると共に、遮音壁１０の展開方向と垂直方向が南側である場合等に有効である。更に、フレーム部４０ｅの角度調整機構で基板６０の角度を必要に応じて変更することにより、基板６０及び太陽電池パネル１００を一層容易に所要角度に設定、調整、変更することができる。
【００６２】
〔第９実施形態の太陽電池パネルの取付構造〕
次に、第９実施形態の太陽電池パネルの取付構造について説明する。
【００６３】
第９実施形態の太陽電池パネルの取付構造は、図１０に示すように、遮音壁１０ｆの天端部に設けられるものである。遮音壁１０ｆは、基台１１ｆと、基台１１ｆに固定されて上方に立設され、横方向に所定間隔を開けて配置されている支柱１２ｆと、支柱１２ｆ・１２ｆ間に配置されて支柱１２・１２で保持される遮音パネル１３ｆとを備える。支柱１２ｆは、例えばＨ型鋼であり、遮音パネル１３ｆが嵌め込まれるようにして取り付けられると共に、上方に向かって高速道路など走行路側等、一方側に弓状に湾曲するように形成されている。遮音パネル１３ｆは、支柱１２ｆ・１２ｆ間において、基台１１ｆに積み重ねられるようにして設けられ、支柱１２ｆの湾曲に沿って湾曲するように積み重ねられている。
【００６４】
遮音壁１０ｆの天端部には、太陽電池パネル１００の取付具２０が設けられ、太陽電池パネル１００は、遮音壁１０ｆの天端部に設けられる取付具２０を介して所要角度で取り付けられる。この取付具２０は、第１実施形態と同一構成であり、胴縁３０、第１フレーム材４１と第２フレーム材４２とからなるフレーム部４０、基板６０とから構成され、第１実施形態と同様の態様で取り付けられる。そして、基板６０は、湾曲する遮音壁１０ｆの天端部の頂面部に倣うように所要の傾斜角度で設置され、基板６０上に沿わせるようにして設けられる太陽電池パネル１００も所要の傾斜角度で設置される。
【００６５】
第９実施形態の太陽電池パネルの取付構造は、第１実施形態の太陽電池パネルの取付構造と同様の効果を奏すると共に、遮音壁１０の展開方向と垂直方向が南側である場合等に有効である。更に、湾曲する遮音壁１０ｆにも設置することが可能である。
【００６６】
〔第１０実施形態の太陽電池パネルの取付構造〕
次に、第１０実施形態の太陽電池パネルの取付構造について説明する。
【００６７】
第１０実施形態の太陽電池パネルの取付構造は、図１１（ａ）に示すように、遮音壁１０ｇの天端部に設けられるものである。遮音壁１０ｇは、遮音壁１０ｆと同一構成であり、支柱１２ｇ、遮音パネル１３ｇはそれぞれ支柱１２ｆ、遮音パネル１３ｆに対応する。そして、遮音壁１０ｇの天端部に太陽電池パネル１００の取付具２０ｇが設けられ、太陽電池パネル１００が、遮音壁１０ｇの天端部に設けられる取付具２０ｇを介して所要角度で取り付けられる。取付具２０ｇは、第１実施形態と同一の胴縁３０、基板６０と、フレーム部４０ｇとから構成され、胴縁３０は第９実施形態と同様の態様で取り付けられる。
【００６８】
フレーム部４０ｇは、断面視Ｌ字形の長尺部材である第１１フレーム材５２ｇと、断面視Ｌ字形で且つ正面視（図１１（ａ）の正面視）Ｌ字形の部材である第１２フレーム材５３ｇとを有する。第１１フレーム材５２ｇの底面５２１ｇは、正面側と背面側の胴縁３０上に載置して架橋され、胴縁３０の上面３２上にボルト締め等で固定される。第１１フレーム材５２ｇの側面５２２ｇは、図１１（ａ）の紙面を平面方向として上面３２から立ち上がるように設けられる。
【００６９】
第１１フレーム材５３ｇの側面５３１ｇは、側面５２２ｇに沿うように設けられており、Ｌ字形の一方側の側面５３１ｇは側面５２２ｇの下端近傍に配置され、Ｌ字形の他方側の側面５３１ｇは側面５２２ｇの上端近傍に配置され、それぞれ位置で側面５３１ｇと側面５２２ｇがボルト締め等で固定されている。第１１フレーム材５３ｇには外縁に突出面５３２ｇが略直角に屈曲して形成され、上面に相当する突出面５３２ｇは略水平に配置されている。
【００７０】
更に、フレーム部４０ｇは、第１実施形態と同様の第１フレーム材４１、第２フレーム材４２を有し、第１フレーム材４１を前記上面に相当する突出面５３２ｇにボルト締め等で固定し、更に第１実施形態と同様の態様で第２フレーム材４２を取り付け、これらで支持されて基板６０と太陽電池パネル１００が所要角度、本例では略水平に設置される。
【００７１】
第１０実施形態の太陽電池パネルの取付構造は、第１実施形態の太陽電池パネルの取付構造と同様の効果を奏すると共に、湾曲する遮音壁１０ｇにも設置することが可能である。
【００７２】
〔第１１実施形態の太陽電池パネルの取付構造〕
次に、第１１実施形態の太陽電池パネルの取付構造について説明する。
【００７３】
第１１実施形態の太陽電池パネルの取付構造は、図１１（ｂ）に示すように、遮音壁１０ｈの天端部に設けられるものである。遮音壁１０ｈは、遮音壁１０ｆと同一構成であり、支柱１２ｈ、遮音パネル１３ｈはそれぞれ支柱１２ｆ、遮音パネル１３ｆに対応する。そして、遮音壁１０ｈの天端部に太陽電池パネル１００の取付具２０ｈが設けられ、太陽電池パネル１００が、遮音壁１０ｈの天端部に設けられる取付具２０ｈを介して所要角度で取り付けられる。取付具２０ｈは、第１実施形態と同一の胴縁３０、基板６０と、フレーム部４０ｈとから構成され、胴縁３０は第９実施形態と同様の態様で取り付けられる。
【００７４】
フレーム部４０ｈは、断面視Ｌ字形で且つ正面視（図１１（ｂ）の正面視）Ｌ字形の部材である第１３フレーム材５４ｈと、断面視Ｌ字形で且つ正面視（図１１（ｂ）の正面視）へ字形の部材である第１４フレーム材５５ｈとを有する。第１３フレーム材５４ｈは、Ｌ字形の側面５４１ｈと、側面５４１ｈの外縁に略直角に屈曲して形成されている突出面５４２ｈとを有し、Ｌ字形の一方側の突出面５４２ｈが正面側と背面側の胴縁３０上に載置して架橋され、胴縁３０の上面３２上にボルト締め等で固定される。側面５４１ｈは、図１１（ｂ）の紙面を平面方向として上面３２から立ち上がるように設けられる。
【００７５】
第１４フレーム材５５ｈの側面５５１ｈは、側面５４１ｈに沿うように設けられており、へ字形の一方側の側面５５１ｈはＬ字形の一方側の側面５４１ｈの上端近傍に配置され、へ字形の他方側の側面５５１ｈはＬ字形の他方側の側面５４１ｈの上端近傍に配置され、それぞれ位置で側面５５１ｈと側面５４１ｈがボルト締め等で固定されている。第１４フレーム材５５ｈには外縁に突出面５５２ｈが略直角に屈曲して形成され、へ字形の一方側の突出面５５２ｈは略水平に配置され、他方側の突出面５５２ｈはへ字形の所定角度に傾斜して配置されている。
【００７６】
更に、フレーム部４０ｈは、第１実施形態と同様の第１フレーム材４１、第２フレーム材４２を有し、第１フレーム材４１を一方側と他方側の突出面５５２ｈにボルト締め等で固定し、更に第１実施形態と同様の態様で第２フレーム材４２を前記一方側と他方側の突出面５５２ｈに倣うように各々取り付け、これらで支持されて基板６０と太陽電池パネル１００が略水平と所要の傾斜角度で設置される。
【００７７】
第１１実施形態の太陽電池パネルの取付構造は、第１実施形態の太陽電池パネルの取付構造と同様の効果を奏すると共に、湾曲する遮音壁１０ｈにも設置することが可能である。更に、複数の角度で太陽電池パネル１００を設けることができ、太陽の多様な位置に対する適応性を高めることができると共に、太陽光発電の発電量をより大きくすることができる。
【００７８】
〔第１２実施形態の太陽電池パネルの取付構造〕
次に、第１２実施形態の太陽電池パネルの取付構造について説明する。
【００７９】
第１２実施形態の太陽電池パネルの取付構造は、図１２及び図１３に示すように、基本的な構成は第１実施形態と同一であるが、胴縁３０と、フレーム部４０と、略半円筒形の基板６０ｉから取付具２０ｉが構成され、基板６０ｉの湾曲面の凸側に太陽電池パネル１００ｉが湾曲面に沿うように載置され、ボルト締め或いは接着等で固定されている。
【００８０】
基板６０ｉの幅方向の両側には、側方に突出する突出端部６１ｉが形成されており、突出端部６１ｉは、フレーム部４０の上面４２２上に載置され、上面４２２にボルト締め等で固定される。尚、基板６０ｉは硬質板の他に、可撓性を有するフレキシブル板とすることも可能であり、この場合にはフレキシブル板を湾曲させ、その幅方向両側の端部を上面４２２にボルト締め等で固定する。
【００８１】
第１２実施形態の太陽電池パネルの取付構造は、第１実施形態の太陽電池パネルの取付構造と同様の効果を奏すると共に、湾曲する太陽電池パネル１００ｉで太陽の多様な位置に対する適応性を高めることができると共に、太陽光発電の発電量をより大きくすることができる。
【００８２】
〔第１３実施形態の太陽電池パネルの取付構造〕
次に、第１３実施形態の太陽電池パネルの取付構造について説明する。
【００８３】
第１３実施形態の太陽電池パネルの取付構造は、図１４及び図１５に示すように、基本的な構成は第２実施形態と同一であるが、胴縁３０と、フレーム部４０ａと、略半円筒形の基板６０ｉから取付具２０ｊが構成され、基板６０ｉの湾曲面の凸側に太陽電池パネル１００ｉが湾曲面に沿うように載置され、ボルト締め或いは接着等で固定されている。
【００８４】
基板６０ｉの幅方向の両側には、側方に突出する突出端部６１ｉが形成されており、突出端部６１ｉは、フレーム部４０ａの上面４２２ａ上に載置され、上面４２２ａにボルト締め等で固定される。尚、基板６０ｉは硬質板の他に、可撓性を有するフレキシブル板とすることも可能であり、この場合にはフレキシブル板を湾曲させ、その幅方向両側の端部を上面４２２ａにボルト締め等で固定する。
【００８５】
第１３実施形態の太陽電池パネルの取付構造は、第２実施形態の太陽電池パネルの取付構造と同様の効果を奏すると共に、湾曲する太陽電池パネル１００ｉで太陽の多様な位置に対する適応性を高めることができると共に、太陽光発電の発電量をより大きくすることができる。
【００８６】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。
【００８７】
また、本発明における取付具は上記実施形態に限定されず、支柱間に架設して支柱に対して固定される胴縁と、胴縁に固定されるフレーム部と、フレーム部により支持される基板を有するものであれば適宜である。また、角度調整機構も水平面に対して基板の角度を調整可能な構成であれば適宜であり、例えば第２フレーム材４２の側面４２２に長穴を形成し、長穴に挿入するボルトの位置を変更する構成等としてもよい。
【００８８】
また、第１〜第１１実施形態における基板６０も硬質板の他、可撓性を有するフレキシブル板とすることが可能であり、これに応じて基板６０と太陽電池パネル１００とが湾曲した状態で設けられる太陽電池パネルの取付構造とすることが可能である。例えば第２実施形態の図示横方向に並ぶ４本の第３フレーム材４３ａのうち内側に位置する第３フレーム材４３ａの高さを高くし、これに応じて第４フレーム材４４ａを内側が上方に凸となるように湾曲させ、内側が上方に凸となるように湾曲した基板６０と太陽電池パネル１００を設置する構造、或いは図６〜図１１で内側が上方に凸となるように湾曲した基板６０と太陽電池パネル１００を設置する構造等とすることが可能である。
【産業上の利用可能性】
【００８９】
本発明は、太陽電池パネルを遮音壁に取り付ける際に利用することができる。
【符号の説明】
【００９０】
１０、１０ｆ、１０ｇ、１０ｈ…遮音壁  １１、１１ｆ…基台  １２、１２ｆ、１２ｇ、１２ｈ…支柱  １３、１３ｆ、１３ｇ、１３ｈ…遮音パネル  ２０、２０ａ、２０ｂ、２０ｃ、２０ｄ、２０ｅ、２０ｇ、２０ｈ、２０ｉ、２０ｊ…取付具  ３０…胴縁  ３１…側面  ３２…上面  ４０、４０ａ、４０ｂ、４０ｃ、４０ｄ、４０ｅ、４０ｇ…フレーム部  ４１、４１ａ、４１ｄ…第１フレーム材  ４１１、４１１ａ…底面  ４１２、４１２ａ…側面  ４２、４２ａ、４２ｂ、４２ｃ、４２ｄ、４２ｅ…第２フレーム材  ４２１、４２１ａ、４２１ｂ、４２１ｃ…側面  ４２２、４２２ａ、４２２ｂ、４２２ｃ…上面  ４３ａ…第３フレーム材  ４３１ａ…第１側面  ４３２ａ…第２側面  ４４ａ…第４フレーム材  ４４１ａ…側面  ４４２ａ…上面  ４５ａ、４５ｂ、４５ｃ…第５フレーム材  ４５１ａ、４５１ｂ、４５１ｃ…底面  ４５２ａ、４５２ｂ、４５２ｃ…側面  ４６ｂ、４６ｃ…第６フレーム材  ４６１ｂ、４６１ｃ…底面  ４６２ｂ、４６２ｃ…側面  ４７ｂ、４７ｃ…第７フレーム材  ４７１ｂ、４７１ｃ…側面  ４７２ｂ、４７２ｃ…上面  ４８ｅ…第８フレーム材  ４８１ｅ…底面  ４８２ｅ…側面  ４９ｅ…第９フレーム材  ４９１ｅ…底面  ４９２ｅ…側面  ４９３ｅ…上面  ５０ｅ…第１０フレーム材  ５０１ｅ…底面  ５０２ｅ…側面  ５１ｅ…位置調整ボルト  ５１１ｅ…固定ナット  ５１２ｅ…調整ナット  ５２ｇ…第１１フレーム材  ５２１ｇ…底面  ５２２ｇ…側面  ５３ｇ…第１２フレーム材  ５３１ｇ…側面  ５３２ｇ…突出面  ５４ｈ…第１３フレーム材  ５４１ｈ…側面  ５４２ｈ…突出面  ５５ｈ…第１４フレーム材  ５５１ｈ…側面  ５５２ｈ…突出面  ６０、６０ｉ…基板  ６１ｉ…突出端部  ７１ｃ、７２ｃ、７３ｃ、７４ｄ、７５ｄ、７６ｄ…支持部材  ７１１ｃ、７２１ｃ、７３２ｃ、７４１ｄ、７５２ｄ、７６１ｄ…側面  ７２２ｃ…上面  ７３１ｃ、７５１ｄ…底面  ７１２ｃ、７４２ｄ、７６２ｄ…突出面  １００、１００ｉ…太陽電池パネル
【図１】
2012140830.tif 000003
【図２】
2012140830.tif 000004
【図３】
2012140830.tif 000005
【図４】
2012140830.tif 000006
【図５】
2012140830.tif 000007
【図６】
2012140830.tif 000008
【図７】
2012140830.tif 000009
【図８】
2012140830.tif 000010
【図９】
2012140830.tif 000011
【図１０】
2012140830.tif 000012
【図１１】
2012140830.tif 000013
【図１２】
2012140830.tif 000014
【図１３】
2012140830.tif 000015
【図１４】
2012140830.tif 000016
【図１５】
2012140830.tif 000017